(57)【要約】【課題】  地震時等の信頼性を損なうことなくスムーズな水流が確保できる止水構造体を提供する。【解決手段】  止水構造体１１の止水シート１３は、コンクリートブロック１６ａ，コンクリートブロック１６ｂ側に配置される第１シート１９と第１シート１９の外面側のほぼ全面を覆う第２シート２０とから構成されている。第１シート１９は目地部１７に対応する部分が折り畳まれ折り畳み部２２を有している。第２シート２０の両端部は第１シート１９の両端部を覆うように折り返され、その下面に止水ゴム２４ａ，止水ゴム２４ｂが配置される。これによって折り畳み部２２の存在による水流の抵抗が第２シート２０によって軽減され、且つ折り畳み部２２による止水効果の信頼性が向上する。【選択図】      図２
2007009409.tif 000002
【特許請求の範囲】
【請求項１】
隣接するコンクリートブロックの目地部を止水するための止水構造体であって、
前記目地部をその長手方向に沿って覆うと共に、前記コンクリートブロックの接続方向に対して展開できるような折り畳み部を有した第１シートと、
前記折り畳み部の外面側を少なくとも覆う第２シートとを備えた、止水構造体。
【請求項２】
前記第２シートは前記第１シートのほぼ全面を覆い、前記第１シートと前記第２シートとは、前記コンクリートブロックの各々に一体的に固定される、請求項１記載の止水構造体。
【請求項３】
前記第２シートの前記接続方向の両端部の各々は、前記第１シートの対応する端部が露出しないように前記第１シートの内面側の所定範囲まで折り返される、請求項２記載の止水構造体。
【請求項４】
前記第２シートの前記接続方向の両端部の各々と前記第１シートの対応する端部とが接合された、請求項２記載の止水構造体。
【請求項５】
前記第１シートは、前記折り畳み部における折り畳み状態が保持されるように折り畳まれる、請求項１から請求項４のいずれかに記載の止水構造体。
【請求項６】
隣接するコンクリートブロックの目地部を止水するための止水構造体であって、
前記目地部をその長手方向に沿って覆うと共に、前記コンクリートブロックの接続方向に対して展開できるような折り畳み部を有した第１シートと、
前記折り畳み部の外面側を少なくとも覆う第２シートと、
前記折り畳み部の内面側を少なくとも覆う第３シートとを備えた、止水構造体。
【請求項７】
前記第２シート及び前記第３シートは、前記第１シートのほぼ全面を覆い、
前記第２シートの伸び率は、前記第１シートの前記折り畳み部の折り畳み状態の解除が開始される時点の伸び率より小さく、
前記第３シートの伸び率は、前記第１シートの前記折り畳み状態が完全に解消された後、前記第１シートが破断するまでの前記第１シートの伸び率より大きい、請求項６記載の止水構造体。
【請求項８】
前記第３シートの前記接続方向の両端部の各々は、前記第１シート及び前記第２シートの対応する端部の各々が露出しないように前記第２シートの外面側の所定範囲まで折り返される、請求項７記載の止水構造体。
【請求項９】
前記第１シートの前記接続方向の両端部の各々と前記第２シート及び前記第３シートの対応する端部の各々とが接合された、請求項７記載の止水構造体。
【発明の詳細な説明】
【技術分野】
【０００１】
この発明は止水構造体に関し、特に水路等のコンクリート製構造物の目地部を止水する止水構造体に関するものである。
【背景技術】
【０００２】
図４は特許文献１に示されているコンクリート構造物の目地止水継手の概略構造を示した断面図である。
【０００３】
図を参照して、コンクリートブロック１６ａ，コンクリートブロック１６ｂが目地部１７を介して隣接した状態に設置されている。コンクリートブロック１６ａ，コンクリートブロック１６ｂの内面側の面には目地部１７を跨ぐようにして支持板６２が取り付けられている。更に、支持板６２の外面を覆い、コンクリートブロック１６ａ，コンクリートブロック１６ｂに掛け渡すようにして止水シート６１が取り付けられている。止水シート６１の両端部の各々は、押え板６６ａ，押え板６６ｂを介してボルト６７ａ，ボルト６７ｂによってコンクリートブロック１６ａ，コンクリートブロック１６ｂに固定されている。尚、止水シート６１の中央部には折り畳み部６４が形成されている。
【０００４】
このように目地止水継手が構成されていることにより、水路側と目地部１７との間が止水シート６１によって止水されている。又、地震等が生じて目地部１７の間隔が広がったような場合には、折り畳み部６４の折り畳み状態が解除され、止水シート６１はコンクリートブロック１６ａ，コンクリートブロック１６ｂの移動に追随する。これによって目地部１７の間隔の変化が生じても止水シート６１による止水効果は維持される。
【０００５】
【特許文献１】特開平９‐１４４１４８号公報
【発明の開示】
【発明が解決しようとする課題】
【０００６】
上記のような従来の目地止水継手の構造では、折り畳み部が存在するため上述のように地震等には有用であるが、通常の使用時には問題がある。
【０００７】
図５はこの問題点を説明するための概略断面図である。
【０００８】
図を参照して、止水シート６１には折り畳み部６４が存在するため段部６９が生じている。水流７１が矢印の方向に生じると段部６９が抵抗となる。又、水流７１が停止している際には、段部６９に水７２が残存することになる。このため水流７１の残存と共にゴミ等も同時に段部６９に溜ることになり、水路構造としては好ましいものではない。
【０００９】
この発明は上記のような課題を解決するためになされたもので、地震時の信頼性を損なうことなくスムーズな水流が確保できる止水構造体を提供することを目的とする。
【課題を解決するための手段】
【００１０】
上記の目的を達成するために、請求項１記載の発明は、隣接するコンクリートブロックの目地部を止水するための止水構造体であって、目地部をその長手方向に沿って覆うと共に、コンクリートブロックの接続方向に対して展開できるような折り畳み部を有した第１シートと、折り畳み部の外面側を少なくとも覆う第２シートとを備えたものである。
【００１１】
このように構成すると、折り畳み部の段部が第２シートにより覆われる。
【００１２】
請求項２記載の発明は、請求項１記載の発明の構成において、第２シートは第１シートのほぼ全面を覆い、第１シートと第２シートとは、コンクリートブロックの各々に一体的に固定されるものである。
【００１３】
このように構成すると、コンクリートブロックの移動に対して第１シート及び第２シートの各々に荷重が加わる。
【００１４】
請求項３記載の発明は、請求項２記載の発明の構成において、第２シートの接続方向の両端部の各々は、第１シートの対応する端部が露出しないように第１シートの内面側の所定範囲まで折り返される。
【００１５】
このように構成すると、第１シートの端部が露出しない。
【００１６】
請求項４記載の発明は、請求項２記載の発明の構成において、第２シートの接続方向の両端部の各々と第１シートの対応する端部とが接合されたものである。
【００１７】
このように構成すると、第１シートと第２シートとは端部において一体化する。
【００１８】
請求項５記載の発明は、請求項１から請求項４のいずれかに記載の発明の構成において、第１シートは折り畳み部における折り畳み状態が保持されるようにして折り畳まれるものである。
【００１９】
このように構成すると、第１シートの折り畳み状態が保持される。
【００２０】
請求項６記載の発明は、隣接するコンクリートブロックの目地部を止水するための止水構造体であって、目地部をその長手方向に沿って覆うと共に、コンクリートブロックの接続方向に対して展開できるような折り畳み部を有した第１シートと、折り畳み部の外面側を少なくとも覆う第２シートと、折り畳み部の内面側を少なくとも覆う第３シートとを備えたものである。
【００２１】
このように構成すると、第１シートの折り畳み部の外面側と内面側とは第２シートと第３シートとで覆われる。
【００２２】
請求項７記載の発明は、請求項６記載の発明の構成において、第２シート及び第３シートは第１シートのほぼ全面を覆い、第２シートの伸び率は、第１シートの折り畳み部の折り畳み状態の解除が開始される時点の伸び率より小さく、第３シートの伸び率は、第１シートの折り畳み状態が完全に解除された後、第１シートが破断するまでの第１シートの伸び率より大きいものである。
【００２３】
このように構成すると、目地部の間隔が広がると、第２シート、第１シート及び第３シートの順で破断する。
【００２４】
請求項８記載の発明は、請求項７記載の発明の構成において、第３シートの接続方向の両端部の各々は、第１シート及び第２シートの対応する端部の各々が露出しないように第２シートの内面側の所定範囲まで折り返されるものである。
【００２５】
このように構成すると、第１シート及び第２シートの端部が露出しない。
【００２６】
請求項９記載の発明は、請求項７記載の発明の構成において、第１シートの接続方向の両端部の各々と、第２シート及び第３シートの対応する端部の各々とが接合されたものである。
【００２７】
このように構成すると、第１シート、第２シート及び第３シートは端部において一体化する。
【発明の効果】
【００２８】
以上説明したように、請求項１記載の発明は、折り畳み部の段部が第２シートにより覆われるため、第１シートによって折り畳み部による止水の信頼性が保持されると共に、第２シートによって段部による水の溜りと水流に対する抵抗とが低減される。
【００２９】
請求項２記載の発明は、請求項１記載の発明の効果に加えて、コンクリートブロックの移動に対して第１シート及び第２シートの各々に荷重が加わるため、止水構造体の強度が向上する。
【００３０】
請求項３記載の発明は、請求項２記載の発明の効果に加えて、第１シートの端部が露出しないため、第１シートの端部の加工が不要となりコスト的に有利な構造となる。
【００３１】
請求項４記載の発明は、請求項２記載の発明の効果に加えて、第１シートと第２シートとは端部において一体化するため、第１シートと第２シートとを個別に設置する必要がなくなり作業効率が向上する。
【００３２】
請求項５記載の発明は、請求項１から請求項４のいずれかに記載の発明の効果に加えて、第１シートの折り畳み状態が保持されるため、目地部の第１シートの取り付けが容易となり作業効率が向上する。
【００３３】
請求項６記載の発明は、第１シートの折り畳み部の外面側と内面側とが第２シートと第３シートとで覆われるため、第１シートによって折り畳み部による止水の信頼性が保持されると共に第２シートによって段部による水の溜りが低減され、更に、第３シートによって折り畳み部の第１シートの垂れが防止されるため第１シートの取り付けが容易となる。
【００３４】
請求項７記載の発明は、請求項６記載の発明の効果に加えて、目地部の間隔が広がると、第２シート、第１シート及び第３シートの順で破断するため、止水効果がより向上する。
【００３５】
請求項８記載の発明は、請求項７記載の発明の効果に加えて、第１シート及び第２シートの端部が露出しないので、第１シート及び第２シートの端部の加工が不要となるため、コスト的に有利な構造となる。
【００３６】
請求項９記載の発明は、請求項７記載の発明の効果に加えて、第１シート、第２シート及び第３シートは端部において一体化するため、第１シート、第２シート及び第３シートを個別に設置する必要がなくなり作業効率が向上する。
【発明を実施するための最良の形態】
【００３７】
図１はこの発明の第１の実施の形態による止水構造体の概略構成を示した斜視図である。
【００３８】
図を参照して、断面がＵ字形状を有し上面が開放されたコンクリートブロック１６ａ，コンクリートブロック１６ｂによって水路が構成されている。止水シート１３と押え板１４ａ，押え板１４ｂとを含む止水構造体１１が、隣接するコンクリートブロック１６ａ及びコンクリートブロック１６ｂの目地部１７をその長手方向に沿って内側から覆うように取り付けられている。
【００３９】
図２は図１で示したＩＩ−ＩＩラインの拡大断面図である。
【００４０】
これらの図を参照して、止水シート１３は、コンクリートブロック１６ａ，コンクリートブロック１６ｂ側に配置される第１シート１９と第１シート１９の外面側に配置される第２シート２０とによって構成されている。第１シート１９はこの実施の形態にあっては、ゴム等の弾性材からなるシートに繊維等の補強材を埋設した可撓性を有するシートから構成されており、目地部１７に対応する部分を折り畳み、折り畳み部２２を形成している。尚、折り畳み部２２にあっては、折り畳み部分の重なり部分は両面テープや接着剤又は形状保持材により部分的に固定されている。このため、第１シート１９単独のみを取り扱う際にも折り畳み部２２の折り畳み状態が解除されないため、取り扱いが容易となる。尚、折り畳み部２２の固定は、コンクリートブロック１６への取付け後は不要となるため特に強固に固定する必要は無い。
【００４１】
第２シート２０はこの実施の形態にあっては、ゴム等の弾性材からなるシートに繊維等の補強材を埋設した可撓性を有するシートにより構成されている。ここで第２シート２０の伸び率は、第１シート１９の折り畳み部２２の折り畳み状態の解除が開始される時点の伸び率より小さくなるように設定されている。コンクリートブロック１６ａ，コンクリートブロック１６ｂの接続方向における第２シート２０の両端部の各々は、これに対応する第１シート１９の端部が露出しないように第１シート１９の内面側の所定範囲まで折り返され、折り返し部２７ａ，折り返し部２７ｂを構成している。
【００４２】
取り付け時にあっては、第１シート１９の折り畳み部２２が目地部１７に対応する位置となるように設置し、その全面を第２シート２０で覆うようにして止水シート１３を配置する。即ち、止水シート１３は目地部１７を介してコンクリートブロック１６ａ，コンクリートブロック１６ｂに掛け渡すようにして配置されることになる。
【００４３】
折り返し部２７ａ，折り返し部２７ｂとコンクリートブロック１６ａ，コンクリートブロック１６ｂとの間には、止水ゴム２４ａ，止水ゴム２４ｂが配置される。止水ゴム２４ａはゴム等の弾性体により形成され、帯形状を有している。そして、その両端部は断面が円形状を有しており、この両端部の円形状部分が折り返し部２７ａの下面とコンクリートブロック１６ａの内面との間に位置するように配置される。止水ゴム２４ｂも同様に構成され、同様に配置されるが、これらの上面及び下面には止水材２５ａ，止水材２５ｂが充填される。
【００４４】
一方、第２シート２０の両端部側の上面には鉄板等の剛性体よりなる押え板１４ａ，押え板１４ｂが配置されている。
【００４５】
尚、コンクリートブロック１６ａ，コンクリートブロック１６ｂには、アンカーボルト３１ａ，アンカーボルト３１ｂが目地部１７の長手方向に所定間隔で取り付けられている。そしてアンカーボルト３１ａ，アンカーボルト３１ｂに対して、止水ゴム２４ａ，止水ゴム２４ｂ、止水シート１３の両端部側及び押え板１４ａ，押え板１４ｂがそれぞれ貫通するようにして取り付けられる。この状態でアンカーボルト３１ａ，アンカーボルト３１ｂに対してワッシャー３３ａ，ワッシャー３３ｂを介してナット３２ａ，ナット３２ｂが取り付けられる。ナット３２ａ，ナット３２ｂを締め付けることによって止水ゴム２４ａ，止水ゴム２４ｂの各々が押圧されることになり、止水シート１３の内部と外部とがシールされることになる。このようにして水路を流れる水が目地部１７を介して外部に漏水することがないように構成されている。
【００４６】
この実施の形態による止水構造体１１にあっては、第１シート１９の折り畳み部２２が第２シート２０によって覆われているため、従来例で示したような大きな段部が外部に表れない。従って、スムーズな水流が期待され、水流が停止した状態にあっても折り畳み部２２の周りに水等が溜る虞が軽減する。
【００４７】
次に、この止水構造体１１において地震等によって目地部１７の間隔が広がった場合の変化について説明する。
【００４８】
地震等によって目地部１７の間隔が広がろうとすると、上述の第１シート１９と第２シート２０の各々の伸び率の関係から、まずその力の大部分は第２シート２０に対して引張力として生じることになる。そして第２シート２０の破断強度以上の荷重が加わると、第２シート２０が破断するが、目地部１７側には第１シート１９が存在しているため、止水構造体１１による止水性能は維持されている。
【００４９】
更に目地部１７の間隔が広がると、第１シート１９の折り畳み部２２における折り畳み状態が解除され、第１シート１９はスムーズにこの変化に追随することになる。第１シート１９が破断されるまで止水効果が発揮されるため、止水構造体１１の信頼性がより向上する。
【００５０】
尚、上述のように第１シート１９の両端部は第２シート２０の折り返しによって覆われているため、その端部が露出することはない。従って、その内部に補強材等を埋設している第１シート１９にあっては通常必要な端部の加工が不要となり、コスト的に有利な構造となる。
【００５１】
又、アンカーボルト３１ａ，アンカーボルト３１ｂは３層のシートを貫通した状態となるため、止水構造体１１の取り付け強度が向上することになる。
【００５２】
更に、上記の実施の形態にあっては止水シート１３の両端部において第２シート２０を折り返す構造としている。これに代えて第１シート１９及び第２シート２０の両端部において相互に接合することによりこれらを一体化しても良い。このように構成すると、止水シート１３を構成するシートを個別に設置する必要がなく、全体を一体として取り付けることができるため作業性がより向上する。
【００５３】
図３はこの発明の第２の実施の形態による止水構造体の概略構造を示した断面図であって、先の実施の形態による図２に対応した図である。
【００５４】
この実施の形態にあっては、先の実施の形態との相違点を中心として説明する。
【００５５】
図を参照して、この実施の形態にあっては、第１シート１９のコンクリートブロック１６ａ，コンクリートブロック１６ｂ側にその全面を覆うようにゴム等の弾性材よりなる第３シート３５が配置され、第１シート１９と第２シート２０とを併せて止水シート１３を構成している。第３シート３５の両端部は第１シート１９の両端部の上面側に折り返され、折り返し部３６ａ，折り返し部３６ｂが形成されている。これによって第１シート１９及び第２シート２０の両端部は露出しないため、これらの端部の加工が不要となる。
【００５６】
止水ゴム２４ａ，止水ゴム２４ｂは第３シート３５の両端部の下面とコンクリートブロック１６ａ，コンクリートブロック１６ｂの内面との間に設置されている。第１シート１９の折り畳み部２２はその下面が第３シート３５によって覆われるため、先の実施の形態のように折り畳み部を保持するために相互に接着剤等で固定する必要はない。
【００５７】
ここで止水シート１３を構成する第１シート１９、第２シート２０及び第３シート３５の伸び率について説明する。
【００５８】
第２シート２０の伸び率は、第１シート１９の折り畳み部２２の折り畳み状態の解除が開始される時点の第１シート１９の伸び率より小さく設定されている。又、第３シート３５の伸び率は、第１シート１９の折り畳み状態が完全に解除された後第１シート１９が破断するまでの第１シート１９の伸び率より大きく設定されている。
【００５９】
次に地震等によって目地部１７の間隔が広がったような場合の止水構造体１１の動作について説明する。
【００６０】
目地部１７の間隔が広がり始めると、まず第２シート２０が主な抵抗となりこれに張力が生じる。更に目地部１７の間隔が広がると第２シートが破断し、次に第１シート１９の折り畳み部２２の折り畳み状態が解除され第１シート１９が展開されることになる。更に目地部１７の間隔が広がり第１シート１９が破断した状態になっても、第３シート３５の伸び率によって第３シート３５が存在する。これによって止水構造体１１の止水効果は維持されることになり、その信頼性が向上する。又、止水シート１３の両端部はアンカーボルト３１ａ，アンカーボルト３１ｂに対してシートの４層構造で取り付けられることになり、止水シート１３の取り付け状態がより安定する。
【００６１】
尚、上記の第２の実施の形態にあっては止水シート１３の両端部において第３シート３５を折り返す構造としている。これに代えて第１シート１９、第２シート２０及び第３シート３５の両端部において相互に接合することによりこれらを一体化しても良い。このように構成すると、止水シート１３を構成するシートを個別に設置する必要がなく、全体を一体として取り付けることができるため作業性がより向上する。
【００６２】
尚、上記の各実施の形態では、第２シートは第１シートの前面を覆っているが、必ずしもその必要は無く、少なくとも折り畳み部を覆っていれば良い。
【００６３】
又、上記の各実施の形態では、第１シートの折り畳み状態が両面テープ等で保持されているが、保持せずに取り付け時に第１シートを折り畳むようにしても良い。
【００６４】
更に、上記の第２の実施の形態では、第３シートは第１シートを前面覆っているが、必ずしもその必要は無く、少なくとも折り畳み部を覆っていれば良い。
【００６５】
更に、上記の各実施の形態では、第２シートの伸び率は第１シートの折り畳み部の折り畳み状態の解除が開始された時点の伸び率より小さく設定されているが、第１シートのこの伸び率以上であっても良い。
【００６６】
更に、上記の第２の実施の形態では、第３シートの伸び率は第１シートの折り畳み部の折り畳み状態が完全に解除された後、第１シートが破断するまでの第１シートの伸び率より大きく設定されているが、第１シートのこの伸び率以下であっても良い。
【００６７】
更に、上記の各実施の形態では、第２シート又は第３シートはその両端部が折り返されているが、この折り返しは必ずしも必要なものではない。
【図面の簡単な説明】
【００６８】
【図１】この発明の第１の実施の形態による止水構造体の取り付け状態を示した斜視図である。
【図２】図１で示したＩＩ−ＩＩラインの拡大断面図である。
【図３】この発明の第２の実施の形態による止水構造体の取り付け状態を示した図であって、第１の実施の形態による図２に対応した断面図である。
【図４】従来の止水構造体の概略構造を示した断面図である。
【図５】図４で示した止水構造体の問題点を説明するための断面図である。
【符号の説明】
【００６９】
１１…止水構造体
１６…コンクリートブロック
１７…目地部
１９…第１シート
２０…第２シート
２２…折り畳み部
２７…折り返し部
３５…第３シート
３６…折り返し部
尚、各図中同一符号は同一又は相当部分を示す。
【図１】
2007009409.tif 000003
【図２】
2007009409.tif 000004
【図３】
2007009409.tif 000005
【図４】
2007009409.tif 000006
【図５】
2007009409.tif 000007